(57)【要約】【課題】ライブ映像とタイムシフトによる映像を同時に表示できないため、タイムシフト再生ではリアルタイムの映像が見られない。【解決手段】入力された映像と録画された映像を同時に表示することができる。再生する音声がリアルタイムでの映像と録画された映像の両者へと切り換えられるので、リアルタイムでの音声により、臨時ニュースの表示が遅れずに分かる。又、現在表示している映像信号の位置から特定時間だけ前後の位置の映像を再生できる。更に、臨時ニュースの開始を検出して、自動的に音声を切り換えることができる。【選択図】図１
2005039496.tif 000002
【特許請求の範囲】
【請求項１】
入力された映像信号を符号化して、記録媒体に記録し、媒体に記録された映像信号を任意の位置から読み出して、復号した映像信号と入力された映像信号を同時に表示できることを特徴とする映像信号表示装置。
【請求項２】
請求項１記載の映像信号表示装置において、同時に表示された映像信号から音声を再生する映像信号を選択する音声選択手段を備えたことを特徴とする映像信号表示装置。
【請求項３】
請求項１記載の映像信号表示装置において、媒体に記録された映像信号の読み出し位置を現在表示している位置から特定時間だけ前後の映像が記録された位置に設定することができる入力手段を備えたことを特徴とする映像信号表示装置。
【請求項４】
請求項１記載の映像信号表示装置において、特殊音で始まる臨時ニュースの開始を検出する手段を備え、臨時ニュースが行なわれている映像に音声を自動的に切り換えて再生することを特徴とする映像信号表示装置。
【請求項５】
入力された映像信号を符号化して、記録媒体に記録するステップと媒体に記録された映像信号を任意の位置から読み出すステップと復号した映像信号と入力された映像信号を同時に表示できるステップを備えたことを特徴とする映像信号表示方法。
【請求項６】
請求項５記載の映像信号表示方法において、同時に表示された映像信号から音声を再生する映像信号を選択するステップを備えたことを特徴とする映像信号表示方法。
【請求項７】
請求項５記載の映像信号表示方法において、媒体に記録された映像信号の読み出し位置を現在記録している位置から特定時間だけ前後の映像が記録された位置に設定することができる入力ステップを備えたことを特徴とする映像信号表示方法。
【請求項８】
請求項５記載の映像信号表示方法において、特殊音で始まる臨時ニュースの開始を検出するステップを備え、臨時ニュースが行なわれている映像に音声を自動的に切り換えて再生することを特徴とする映像信号表示方法。
【請求項９】
請求項５から請求項８記載の映像信号表示方法をコンピュータに実行させるためのプログラム。
【請求項１０】
請求項９記載のプログラムを担持した媒体であって、コンピュータにより処理可能な媒体。
【発明の詳細な説明】
【技術分野】
【０００１】
本発明は受信した映像信号を符号化後録画して、録画された映像信号の任意の位置にアクセスし、再生できる装置に関するものである。
【背景技術】
【０００２】
近年、映像信号のデジタル化技術が進展し、放送された映像信号を符号化して録画できる装置が続々と発売されている。又、ハードディスクなどのランダムアクセスが可能な記録媒体に録画する装置も実用化されている（例えば特許文献１参照。）。
【特許文献１】特開２００２−２５２８２３号公報（第１図）
【発明の開示】
【発明が解決しようとする課題】
【０００３】
前記従来の技術文献記載の装置はリアルタイムで供給される映像信号（ライブ映像）とハードディスクに記録した録画信号のどちらかを選択して表示できる。映像信号を符号化して録画した信号を読み込んで復号後再生した場合（いわゆるタイムシフト再生）、符号化、復号化、ハードディスクの読み書きなどの時間だけ、リアルタイムで供給される信号より遅れて映像が表示される。テレビ信号をＭＰＥＧ２で符号化した場合は、最新のＰＣ環境でも２秒程度の遅れがある。よって録画した信号を読み出して表示する場合、最新の録画データを表示していても、リアルタイムの映像とは２秒程度の遅れが存在し、スポーツなどでは、リアルタイムの映像を表示できないという課題がある。又タイムシフト再生時は、リアルタイムで視聴することができないため、臨時ニュースなどリアルタイム視聴する必要がある映像でも遅れて視聴することになるという課題もある。
【課題を解決するための手段】
【０００４】
上記問題点を解決するために、本発明（請求項１又は請求項５）に係る映像信号表示装置は入力された映像と録画された映像を同時に表示することができる。
【０００５】
又、本発明（請求項２又は請求項６）に係る映像信号表示装置は再生する音声がリアルタイムでの映像と録画された映像の両者へと切り換えられるので、リアルタイムでの音声により、臨時ニュースの表示が遅れずに分かる。又、本発明（請求項３又は請求項７）に係る映像信号表示装置は、現在表示している映像信号の位置から特定時間だけ前後の位置の映像を再生できる。更に、本発明（請求項４又は請求項８）に係る映像信号表示装置は臨時ニュースの開始を検出して、自動的に音声を切り換えることができる。
【発明の効果】
【０００６】
以上のように本発明によれば、リアルタイムで入力される映像信号と記憶部に記憶したタイムシフト映像と同時に表示することで、リアルタイムの映像を表示しながら、過去の映像も同時に表示できる。又リアルタイムでの映像に音声を切り換えることにより、臨時ニュースを遅れないで認識できる。又再生位置を特定時間だけ前後の位置に変更して再生できる。更に、臨時ニュースの開始を検出した場合、音声が自動的に臨時ニュースが開始された映像に切換る。
【発明を実施するための最良の形態】
【０００７】
（実施の形態１）
以下本発明の実施の形態１による映像信号表示装置について、図１、図４、図８を参照しながら説明する。
【０００８】
図１は、本実施の形態１による映像信号表示装置の構成を示すブロック図である。図１において、１０１はチューナー部、１０２はキャプチャー部、１０３はＭＰＥＧエンコーダ部、１０４は記憶部、１０５は記憶部データ制御部、１０６は入力部、１０７はＭＰＥＧデコーダ部、１０８は表示映像再生音声作成部、１０９は表示制御部、１１０は表示部である。
【０００９】
次に本実施の形態による映像信号表示装置の動作について説明する。図４は処理の流れを示すフロー図である。外部から地上波テレビ電波、ケーブルテレビ、ＢＳ放送、ＣＳ放送、ビデオなどのＡＶ機器などから入力された映像信号はチューナー部１０１で選局され、キャプチャー部１０２でＹＵＹ２などのフォーマット、７２０＊４８０ピクセルなどの解像度、毎秒３０フレームなどのフレーム数でデジタルキャプチャーされる。キャプチャー部１０２は映像のみならず、音声も同時にキャプチャーする。キャプチャー部１０２はキャプチャーした映像信号（上述の様に音声も含む）をＭＰＥＧエンコーダ部１０３と表示映像再生音声作成部１０８に送る（Ｓ４０１）。ＭＰＥＧエンコーダ部１０３は送られてきたキャプチャー映像をＭＰＥＧ２でエンコードする。ビットレートは６Ｍｂｐｓ、可変ビットレートなどの条件でエンコーダチップを使いハードエンコードするかソフトウェアでエンコードする。エンコード後記憶部１０４にファイルとして書き込み蓄積する（Ｓ４０２）。記憶部データ制御部１０５はＭＰＥＧエンコーダ部１０３が記憶部１０４に書き込んだ映像信号をファイルの最初から読み込み、ＭＰＥＧデコーダ部１０７に送る（Ｓ４０３）。
【００１０】
ユーザは再生しているファイルの再生位置を変更したい場合は、図８の表示画面例に示すスライダーを入力部１０６から操作して、所望の位置に設定する。再生位置変更指示が無いかチェックして、変更指示が無い（Ｓ４０４で無し）場合は、そのまま記憶部１０４からデータを読み出し続ける。再生位置変更指示がなされた（Ｓ４０４で有り）場合、記憶部データ制御部１０５は入力部１０６で指定された再生位置に対応するデータの記憶位置を計算し、ＭＰＥＧエンコーダ部１０３が記憶部１０４に書き込んだ映像信号をその位置から読み込み、ＭＰＥＧデコーダ部１０７に送る（Ｓ４０５）。
【００１１】
ＭＰＥＧデコーダ部１０７は送られてきたデータをデコードし、ＲＧＢやＹＵＹ２などの非圧縮のデジタルビデオに変換して、表示映像再生音声作成部１０８に送る（Ｓ４０６）。表示映像再生音声作成部１０８はキャプチャー部１０２とＭＰＥＧデコーダ部１０７から送られてきたデータを合成して、表示画面を作成し、表示制御部１０９に送る。画面の一例を図８に示す。左側に入力された映像を右側に記憶部１０４に記憶された映像を表示する。音声はキャプチャー部１０９から送られてきた音声を選択して、表示制御部１０９に送り、入力された映像の音声が再生される（Ｓ４０８）。図８のスライドバーで再生位置を変更できる（Ｓ４０４）。終了入力が検出された場合は、再生を終了する。（Ｓ４０９）終了入力が無い（Ｓ４０９で無し）場合は再生をそのまま続ける。
【００１２】
（実施の形態２）
以下、本発明の実施の形態２による映像信号表示装置について図２、図５、図９を参照しながら説明する。図２は、本実施の形態２による映像信号表示装置の構成を示すブロック図である。図２において、２１１は再生音声制御部であり、その他の構成部分は図１と同じである。
【００１３】
次に本実施の形態による映像信号表示装置の動作について説明する。図５は処理の流れを示すフロー図である。図４と同じ番号のステップでは図４と同じ処理を行う。ＭＰＥＧデコーダ部１０７がデータをデコードし、表示映像再生音声作成部１０８に送るステップ（Ｓ４０６）までは実施の形態１と同じである。再生する音声を選択する入力が一度もなされていない（Ｓ５１１で無し）場合や最初の起動状態では、再生音声をキャプチャー部１０２から送られてくる映像信号（即ちライブ信号）から選択して、表示映像再生音声作成部１０８は表示画面とともに表示制御部１０９に送る。再生音声が一度でも選択されたなら、現在再生している音声を表示画面とともに表示制御部１０９に送る（Ｓ５１０）。
【００１４】
ユーザは再生する音声が含まれる映像を変更したい場合は、図９の表示画面例に示すボタンを入力部１０６から選択して、所望の映像を指定する。図９のボタンはどちらかしか選択できない。再生音声変更指示が無いかチェックして、変更指示が無い（Ｓ５１１で無し）場合は、現在の音声をそのまま変更せずに再生する。変更指示が入力された（Ｓ５１１で有り）場合は、再生音声制御部２１１が入力部１０６によって指示された音声を判断し、表示映像再生音声作成部１０８に選択された音声を表示制御部１０９に送らせる（Ｓ５１２）。その後の処理は実施の形態１と同じである。画面の一例を図９に示す。音声を選択するボタンは排他的であり、一方を押して選択すると、他方は押された状態から押されていない状態に戻る。
【００１５】
（実施の形態３）
以下、本発明の実施の形態３による映像信号表示装置について図６、図１０を参照しながら説明する。本実施の形態３による映像信号表示装置の構成を示すブロック図は実施の形態１と同じである。
【００１６】
次に本実施の形態による映像信号表示装置の動作について説明する。図６は処理の流れを示すフロー図である。図４と同じ番号のステップでは図４と同じ処理を行う。記憶部データ制御部１０６が記憶部１０４に記憶されたファイルの最初からデータを読み出し、ＭＰＥＧエンコーダ部１０７に送るステップ（Ｓ４０６）までは実施の形態１と同じである。ユーザは映像の再生位置を特定時間だけ前後に移動したい場合は、図１０の表示画面例に示す矢印ボタンを入力部１０６から押す。再生音声変更指示が無いかチェックして、スライダーで再生位置が指定された場合（Ｓ４０４で有り）は、実施の形態１と同じ様に再生位置を計算し、矢印で指定された場合は特定時間だけ前後に移動した再生位置に対応するデータの記憶位置を計算し、ＭＰＥＧエンコーダ部１０３が記憶部１０４に書き込んだ映像信号をその位置から読み込み、ＭＰＥＧデコーダ部１０７に送る（Ｓ６１３）。その後の処理は実施の形態１と同じである。画面の一例を１０に示す。矢印を一回押すごとに特定時間（５秒程度）だけ、再生位置を前後にずらす。
【００１７】
（実施の形態４）
以下、本発明の実施の形態４による映像信号表示装置について図３、図７を参照しながら説明する。図３は、本実施の形態４による映像信号表示装置の構成を示すブロック図である。図３において、３１２は特殊音声認識部であり、その他の構成部分は図１と同じである。
【００１８】
次に本実施の形態による映像信号表示装置の動作について説明する。図７は処理の流れを示すフロー図である。図４と同じ番号のステップでは図４と同じ処理を行う。ＭＰＥＧデコーダ部１０７がデータをデコードし、表示映像再生音声作成部１０８に送るステップ（Ｓ４０６）までは実施の形態１と同じである。特殊音声認識部３１２が臨時ニュースの開始を一度も検出していない場合や最初の起動状態では、再生音声をキャプチャー部１０２から送られてくる映像信号（即ちライブ信号）から選択して、表示映像再生音声作成部１０８は表示画面とともに表示制御部１０９に送る。臨時ニュースの開始が一度でも行なわれたなら、現在再生している音声を表示画面とともに表示制御部１０９に送る。（Ｓ７１４）
特殊音声認識部３１２が特殊音で始まる臨時ニュースの開始を検出したなら（Ｓ７１５で有り）、特殊音声認識部３１２が特殊音で始まる臨時ニュースの開始を検出して、臨時ニュースが放送されている映像の音声を選択して、表示制御部１０９に送らせる（Ｓ７１６）。その後の処理は実施の形態１と同じである。
【図面の簡単な説明】
【００１９】
【図１】本発明の実施の形態１による映像信号表示装置の構成を示すブロック図
【図２】本発明の実施の形態２による映像信号表示装置の構成を示すブロック図
【図３】本発明の実施の形態４による映像信号表示装置の構成を示すブロック図
【図４】本発明の実施の形態１による映像信号表示装置の処理の流れを示す図
【図５】本発明の実施の形態２による映像信号表示装置の処理の流れを示す図
【図６】本発明の実施の形態３による映像信号表示装置の処理の流れを示す図
【図７】本発明の実施の形態４による映像信号表示装置の処理の流れを示す図
【図８】本発明の実施の形態１による映像信号表示装置の画面の一例図
【図９】本発明の実施の形態２による映像信号表示装置の画面の一例図
【図１０】本発明の実施の形態３による映像信号表示装置の画面の一例図
【符号の説明】
【００２０】
１０１    チューナー部
１０２    キャプチャー部
１０３    ＭＰＥＧエンコーダ部
１０４    記憶部
１０５    記憶部データ制御部
１０６    入力部
１０７    ＭＰＥＧデコーダ部
１０８    表示映像再生音声作成部
１０９    表示制御部
１１０    表示部
２１１    再生音声制御部
３１２    特殊音声認識部
【図１】
2005039496.tif 000003
【図２】
2005039496.tif 000004
【図３】
2005039496.tif 000005
【図４】
2005039496.tif 000006
【図５】
2005039496.tif 000007
【図６】
2005039496.tif 000008
【図７】
2005039496.tif 000009
【図８】
2005039496.tif 000010
【図９】
2005039496.tif 000011
【図１０】
2005039496.tif 000012